(57)【特許請求の範囲】
【請求項１】
複数のノードが現用系伝送路および予備系伝送路を介してリング状に接続された第１、第２、および第３の二重化リングネットワークと、
第１の二重化リングネットワーク内の第１の接続ノードと第２の二重化リングネットワーク内の第２の接続ノードとを接続する第１の接続伝送路と、
第１の二重化リングネットワーク内で前記第１の接続ノードに隣接した第３の接続ノードと第２の二重化リングネットワーク内で前記第２の接続ノードに隣接した第４の接続ノードを接続する第２の接続伝送路と、
第１の二重化リングネットワーク内で前記第３の接続ノードに隣接した第５の接続ノードと第２の二重化リングネットワーク内で前記第４の接続ノードに隣接した第６の接続ノードを接続する第３の接続伝送路と、
第２の二重化リングネットワーク内の第７の接続ノードと第３の二重化リングネットワーク内の第８の接続ノードを接続する第４の接続伝送路と、
第２の二重化リングネットワーク内で前記第７の接続ノードに隣接した第９の接続ノードと第３の二重化リングネットワーク内で前記第８の接続ノードに隣接した第１０の接続ノードを接続する第５の接続伝送路と、
第２の二重化リングネットワーク内で前記第９の接続ノードに隣接した第１１の接続ノードと第３の二重化リングネットワーク内で前記第１０の接続ノードに隣接した第１２の接続ノードを接続する第６の接続伝送路とを備えたリング接続ネットワークシステムであって、
前記第１の二重化リングネットワークから前記第２の二重化リングネットワークを経て前記第３の二重化リングネットワークに達する通信パスを設定する際に、
当該通信パスが前記第１の二重化リングネットワークと前記第２の二重化リングネットワークとの間の区間を通過する際、前記第１乃至第３の接続伝送路のうち少なくとも二つを通過させ、
当該通信パスが前記第２の二重化リングネットワークと前記第３の二重化リングネットワークとの間の区間を通過する際、前記第４乃至第６の接続伝送路のうち少なくとも二つを通過させるものとし、
前記第４の接続ノードと第６の接続ノードとの間の現用系伝送路および予備系伝送路に障害が発生した場合に、前記第６の接続ノードに対して、前記第７、第９、第１１の接続ノードのいずれかから、障害区間と逆方向の予備系伝送路を介して前記通信パスの経路を再設定することを特徴とするリング接続ネットワークシステム。
【請求項２】
複数のノードが現用系伝送路および予備系伝送路を介してリング状に接続された第１、第２、および第３の二重化リングネットワークと、
第１の二重化リングネットワーク内の第１の接続ノードと第２の二重化リングネットワーク内の第２の接続ノードとを接続する第１の接続伝送路と、
第１の二重化リングネットワーク内で前記第１の接続ノードに隣接した第３の接続ノードと第２の二重化リングネットワーク内で前記第２の接続ノードに隣接した第４の接続ノードを接続する第２の接続伝送路と、
第１の二重化リングネットワーク内で前記第３の接続ノードに隣接した第５の接続ノードと第２の二重化リングネットワーク内で前記第４の接続ノードに隣接した第６の接続ノードを接続する第３の接続伝送路と、
第２の二重化リングネットワーク内の第７の接続ノードと第３の二重化リングネットワーク内の第８の接続ノードを接続する第４の接続伝送路と、
第２の二重化リングネットワーク内で前記第７の接続ノードに隣接した第９の接続ノードと第３の二重化リングネットワーク内で前記第８の接続ノードに隣接した第１０の接続ノードを接続する第５の接続伝送路と、
第２の二重化リングネットワーク内で前記第９の接続ノードに隣接した第１１の接続ノードと第３の二重化リングネットワーク内で前記第１０の接続ノードに隣接した第１２の接続ノードを接続する第６の接続伝送路とを備えたリング接続ネットワークシステムであって、
前記第１の二重化リングネットワークから前記第２の二重化リングネットワークを経て前記第３の二重化リングネットワークに達する通信パスを設定する際に、
当該通信パスが前記第１の二重化リングネットワークと前記第２の二重化リングネットワークとの間の区間を通過する際、前記第１乃至第３の接続伝送路のうち少なくとも二つを通過させ、
当該通信パスが前記第２の二重化リングネットワークと前記第３の二重化リングネットワークとの間の区間を通過する際、前記第４乃至第６の接続伝送路のうち少なくとも二つを通過させるものとし、
前記第２の接続ノードと第７の接続ノードとの間の現用系伝送路および予備系伝送路に障害が発生した場合に、前記第２の接続ノードと第７の接続ノードとに対して、前記第４、第６、第９、第１１の接続ノードのいずれかから、障害区間と逆方向の予備系伝送路を介して前記通信パスの経路を再設定することを特徴とするリング接続ネットワークシステム。
【請求項３】
前記第２の接続ノードと第７の接続ノードとの間の現用系伝送路および予備系伝送路に加えて、前記第１１の接続ノードと第６の接続ノードとの間の現用系伝送路および予備系伝送路に障害が発生した場合に、前記通信パスの経路の再設定を実施しないことを特徴とする請求項２記載のリング接続ネットワークシステム。
【請求項４】
複数のノードが現用系伝送路および予備系伝送路を介してリング状に接続された第１、第２、および第３の二重化リングネットワークと、
第１の二重化リングネットワーク内の第１の接続ノードと第２の二重化リングネットワーク内の第２の接続ノードとを接続する第１の接続伝送路と、
第１の二重化リングネットワーク内で前記第１の接続ノードに隣接した第３の接続ノードと第２の二重化リングネットワーク内で前記第２の接続ノードに隣接した第４の接続ノードを接続する第２の接続伝送路と、
第１の二重化リングネットワーク内で前記第３の接続ノードに隣接した第５の接続ノードと第２の二重化リングネットワーク内で前記第４の接続ノードに隣接した第６の接続ノードを接続する第３の接続伝送路と、
第２の二重化リングネットワーク内の第７の接続ノードと第３の二重化リングネットワーク内の第８の接続ノードを接続する第４の接続伝送路と、
第２の二重化リングネットワーク内で前記第７の接続ノードに隣接した第９の接続ノードと第３の二重化リングネットワーク内で前記第８の接続ノードに隣接した第１０の接続ノードを接続する第５の接続伝送路と、
第２の二重化リングネットワーク内で前記第９の接続ノードに隣接した第１１の接続ノードと第３の二重化リングネットワーク内で前記第１０の接続ノードに隣接した第１２の接続ノードを接続する第６の接続伝送路とを備えたリング接続ネットワークシステムであって、
前記第１の二重化リングネットワークから前記第２の二重化リングネットワークを経て前記第３の二重化リングネットワークに達する通信パスを設定する際に、
当該通信パスが前記第１の二重化リングネットワークと前記第２の二重化リングネットワークとの間の区間を通過する際、前記第１乃至第３の接続伝送路のうち少なくとも二つを通過させ、
当該通信パスが前記第２の二重化リングネットワークと前記第３の二重化リングネットワークとの間の区間を通過する際、前記第４乃至第６の接続伝送路のうち少なくとも二つを通過させるものとし、
前記第９の接続ノードと第１１の接続ノードとの間の現用系伝送路および予備系伝送路に障害が発生した場合に、前記第１１の接続ノード対して、前記第２、第４、第６の接続ノードのいずれかから、障害区間と逆方向の予備系伝送路を介して前記通信パスの経路を再設定することを特徴とするリング接続ネットワークシステム。
【請求項５】
複数のノードが現用系伝送路および予備系伝送路を介してリング状に接続された第１、第２、および第３の二重化リングネットワークと、
第１の二重化リングネットワーク内の第１の接続ノードと第２の二重化リングネットワーク内の第２の接続ノードとを接続する第１の接続伝送路と、
第１の二重化リングネットワーク内で前記第１の接続ノードに隣接した第３の接続ノードと第２の二重化リングネットワーク内で前記第２の接続ノードに隣接した第４の接続ノードを接続する第２の接続伝送路と、
第１の二重化リングネットワーク内で前記第３の接続ノードに隣接した第５の接続ノードと第２の二重化リングネットワーク内で前記第４の接続ノードに隣接した第６の接続ノードを接続する第３の接続伝送路と、
第２の二重化リングネットワーク内の第７の接続ノードと第３の二重化リングネットワーク内の第８の接続ノードを接続する第４の接続伝送路と、
第２の二重化リングネットワーク内で前記第７の接続ノードに隣接した第９の接続ノードと第３の二重化リングネットワーク内で前記第８の接続ノードに隣接した第１０の接続ノードを接続する第５の接続伝送路と、
第２の二重化リングネットワーク内で前記第９の接続ノードに隣接した第１１の接続ノードと第３の二重化リングネットワーク内で前記第１０の接続ノードに隣接した第１２の接続ノードを接続する第６の接続伝送路とを備えたリング接続ネットワークシステムであって、
前記第１の二重化リングネットワークから前記第２の二重化リングネットワークを経て前記第３の二重化リングネットワークに達する通信パスを設定する際に、
当該通信パスが前記第１の二重化リングネットワークと前記第２の二重化リングネットワークとの間の区間を通過する際、前記第１乃至第３の接続伝送路のうち少なくとも二つを通過させ、
当該通信パスが前記第２の二重化リングネットワークと前記第３の二重化リングネットワークとの間の区間を通過する際、前記第４乃至第６の接続伝送路のうち少なくとも二つを通過させ、
前記第２の接続ノードと第４の接続ノードとの間の現用系伝送路および予備系伝送路に障害が発生した場合に、前記第４の接続ノードと第７の接続ノードとに対して、前記第６、第９、第１１の接続ノードのいずれかから、障害区間と逆方向の予備系伝送路を介して前記通信パスの経路を再設定することを特徴とするリング接続ネットワークシステム。
【請求項６】
複数のノードが現用系伝送路および予備系伝送路を介してリング状に接続された第１、第２、および第３の二重化リングネットワークと、
第１の二重化リングネットワーク内の第１の接続ノードと第２の二重化リングネットワーク内の第２の接続ノードとを接続する第１の接続伝送路と、
第１の二重化リングネットワーク内で前記第１の接続ノードに隣接した第３の接続ノードと第２の二重化リングネットワーク内で前記第２の接続ノードに隣接した第４の接続ノードを接続する第２の接続伝送路と、
第１の二重化リングネットワーク内で前記第３の接続ノードに隣接した第５の接続ノードと第２の二重化リングネットワーク内で前記第４の接続ノードに隣接した第６の接続ノードを接続する第３の接続伝送路と、
第２の二重化リングネットワーク内の第７の接続ノードと第３の二重化リングネットワーク内の第８の接続ノードを接続する第４の接続伝送路と、
第２の二重化リングネットワーク内で前記第７の接続ノードに隣接した第９の接続ノードと第３の二重化リングネットワーク内で前記第８の接続ノードに隣接した第１０の接続ノードを接続する第５の接続伝送路と、
第２の二重化リングネットワーク内で前記第９の接続ノードに隣接した第１１の接続ノードと第３の二重化リングネットワーク内で前記第１０の接続ノードに隣接した第１２の接続ノードを接続する第６の接続伝送路とを備えたリング接続ネットワークシステムであって、
前記第１の二重化リングネットワークから前記第２の二重化リングネットワークを経て前記第３の二重化リングネットワークに達する通信パスを設定する際に、
当該通信パスが前記第１の二重化リングネットワークと前記第２の二重化リングネットワークとの間の区間を通過する際、前記第１乃至第３の接続伝送路のうち少なくとも二つを通過させ、
当該通信パスが前記第２の二重化リングネットワークと前記第３の二重化リングネットワークとの間の区間を通過する際、前記第４乃至第６の接続伝送路のうち少なくとも二つを通過させ、
前記第７の接続ノードと第９の接続ノードとの間の現用系伝送路および予備系伝送路に障害が発生した場合に、前記第２の接続ノードと第９の接続ノードとに対して、前記第４、第６、第１１の接続ノードのいずれかから、障害区間と逆方向の予備系伝送路を介して前記通信パスの経路を再設定することを特徴とするリング接続ネットワークシステム。
【発明の詳細な説明】
【０００１】
【発明の属する技術分野】
本発明は、例えば国際間光海底ケーブルシステムなどの二重化リングネットワークを互いに接続したリング接続ネットワークシステムに関する。この種のネットワークの接続方式は、特にインターコネクション（Interconnection）と称される。
【０００２】
【従来の技術】
複数の二重化リングネットワークがInterconnection（ＩＴＵ−Ｔ勧告Ｇ．８４２で規定されたring Interconnectionと同義）された伝送ネットワークに対するトラフィックの障害回避方式については、上記勧告にて規定されている。しかしながら当該勧告には、障害箇所の両端のノードでそれぞれループバックを行うことにより障害を回避するNon-Transoceanic方式に基づく障害回避の方法が規定されているに留まり、障害箇所を避けた新たな最短ルートに通信パスの経路を切り替えるTransoceanic方式による具体的な障害回避方法は規定されていない。
【０００３】
【発明が解決しようとする課題】
以上述べたようにInterconnection接続された複数の二重化リングネットワークに対しては、Transoceanic方式での障害回避策が提供されていない。このため光海底ケーブルシステムなどの伝送距離が長いシステムにあっては回線断や、最悪の場合にはトラフィックのミスコネクトを生じてしまう虞が有った。
【０００４】
本発明は上記事情によりなされたもので、その目的は、Transoceanic方式による障害回避を実施しても誤接続を生じる虞の無いリング接続ネットワークシステムを提供することにある。
【０００５】
【課題を解決するための手段】
上記目的を達成するために本発明は、複数のノードが現用系伝送路および予備系伝送路を介してリング状に接続された第１、第２、および第３の二重化リングネットワークと、第１の二重化リングネットワーク内の第１の接続ノードと第２の二重化リングネットワーク内の第２の接続ノードとを接続する第１の接続伝送路と、第１の二重化リングネットワーク内で前記第１の接続ノードに隣接した第３の接続ノードと第２の二重化リングネットワーク内で前記第２の接続ノードに隣接した第４の接続ノードを接続する第２の接続伝送路と、第１の二重化リングネットワーク内で前記第３の接続ノードに隣接した第５の接続ノードと第２の二重化リングネットワーク内で前記第４の接続ノードに隣接した第６の接続ノードを接続する第３の接続伝送路と、第２の二重化リングネットワーク内の第７の接続ノードと第３の二重化リングネットワーク内の第８の接続ノードを接続する第４の接続伝送路と、第２の二重化リングネットワーク内で前記第７の接続ノードに隣接した第９の接続ノードと第３の二重化リングネットワーク内で前記第８の接続ノードに隣接した第１０の接続ノードを接続する第５の接続伝送路と、第２の二重化リングネットワーク内で前記第９の接続ノードに隣接した第１１の接続ノードと第３の二重化リングネットワーク内で前記第１０の接続ノードに隣接した第１２の接続ノードを接続する第６の接続伝送路とを備えたリング接続ネットワークシステムであって、
前記第１の二重化リングネットワークから前記第２の二重化リングネットワークを経て前記第３の二重化リングネットワークに達する通信パスを設定する際に、当該通信パスが前記第１の二重化リングネットワークと前記第２の二重化リングネットワークとの間の区間を通過する際、前記第１乃至第３の接続伝送路のうち少なくとも二つを通過させ、当該通信パスが前記第２の二重化リングネットワークと前記第３の二重化リングネットワークとの間の区間を通過する際、前記第４乃至第６の接続伝送路のうち少なくとも二つを通過させるものとし、  
前記第４の接続ノードと第６の接続ノードとの間の現用系伝送路および予備系伝送路に障害が発生した場合に、前記第６の接続ノードに対して、前記第７、第９、第１１の接続ノードのいずれかから、障害区間と逆方向の予備系伝送路を介して前記通信パスの経路を再設定することを特徴とし、
前記第２の接続ノードと第７の接続ノードとの間の現用系伝送路および予備系伝送路に障害が発生した場合に、前記第２の接続ノードと第７の接続ノードとに対して、前記第４、第６、第９、第１１の接続ノードのいずれかから、障害区間と逆方向の予備系伝送路を介して前記通信パスの経路を再設定することを特徴とし、  
前記第２の接続ノードと第７の接続ノードとの間の現用系伝送路および予備系伝送路に加えて、前記第１１の接続ノードと第６の接続ノードとの間の現用系伝送路および予備系伝送路に障害が発生した場合に、前記通信パスの経路の再設定を実施しないことを特徴とし、  
前記第９の接続ノードと第１１の接続ノードとの間の現用系伝送路および予備系伝送路に障害が発生した場合に、前記第１１の接続ノード対して、前記第２、第４、第６の接続ノードのいずれかから、障害区間と逆方向の予備系伝送路を介して前記通信パスの経路を再設定することを特徴とし、  
前記第２の接続ノードと第４の接続ノードとの間の現用系伝送路および予備系伝送路に障害が発生した場合に、前記第４の接続ノードと第７の接続ノードとに対して、前記第６、第９、第１１の接続ノードのいずれかから、障害区間と逆方向の予備系伝送路を介して前記通信パスの経路を再設定することを特徴とし、  
前記第７の接続ノードと第９の接続ノードとの間の現用系伝送路および予備系伝送路に障害が発生した場合に、前記第２の接続ノードと第９の接続ノードとに対して、前記第４、第６、第１１の接続ノードのいずれかから、障害区間と逆方向の予備系伝送路を介して前記通信パスの経路を再設定することを特徴とする。
【０００６】
このような手段を講じることにより、異なるリングネットワークを跨ぐ区間にパスの経路が予め少なくとも２つ予約される。これによりリングネットワーク内の現用系および予備系伝送路に障害が発生した場合でもリングネットワーク内でのリング切替処理によるパス経路の再設定処理を実施することが可能になり、その結果、ミスコネクトを生じること無くサービストラフィックを救済することが可能となる。
【０００７】
【発明の実施の形態】
以下、図面を参照して本発明の実施の形態を詳細に説明する。ここではＳＤＨ（Synchronous Digital Hierarchy）に準拠するシステムを対象とする。
【０００８】
（第１の実施形態）
図１に、本発明の実施の形態に係わるリング接続ネットワークシステムの構成を示す。このシステムは、複数のネットワーク（Network A，Network B，Network C）を互いにインターコネクション（Interconnection）接続したものである。ネットワークＡ，Ｂ，Ｃはそれぞれ互いにリング状に接続されるノード（Ｎｏｄｅ）Ａ１〜Ａ６，Ｂ１〜Ｂ６，Ｃ１〜Ｃ５を備える。そして、ノードＡ２とノードＢ１、ノードＡ３とノードＢ４、ノードＡ５とノードＢ６とを互いに接続伝送路ＣＬを介して接続することにより、ネットワークＡとネットワークＢとのインターコネクションが実現される。また、ノードＢ２とノードＣ１、ノードＢ３とノードＣ４、ノードＢ５とノードＢ５とを互いに接続伝送路を介して接続することにより、ネットワークＢとネットワークＣとのインターコネクションが実現される。
【０００９】
各ノードは、双方向を結ぶ現用系伝送路ＳＬおよび予備系伝送路ＰＬを介して接続され、各ネットワークＡ，Ｂ，Ｃはいわゆる４ファイバリング構成となっている。
【００１０】
図１において、ノードＡ４でアッドされノードＡ１，Ａ２，Ｂ１，Ｂ２，Ｃ１なる経路を経てノードＣ２に至る片方向パスが設定されている（図中実線）。このパスは、ネットワークＡとネットワークＢの間の区間では、ノードＡ２で分岐されてノードＡ３，Ｂ４を介してノードＢ１に達する経路と、ノードＡ３で分岐されてノードＡ５，Ｂ６，Ｂ４を介してノードＢ１に達する経路とが予備として予め設定される。
【００１１】
またこのパスは、ネットワークＢとネットワークＣの間の区間では、ノードＢ２で分岐されてノードＢ３，Ｃ４を介してノードＣ１に達する経路と、ノードＢ３で分岐されてノードＢ５，Ｃ６，Ｃ４を介してノードＣ１に達する経路とが予備として予め設定される。
【００１２】
一方、上記片方向パスと対になって、ノードＣ２でアッドされノードＣ１，Ｂ２，Ｂ１，Ａ２，Ａ１なる経路を経てノードＡ４に至る片方向パスが設定されている（図中点線）。
【００１３】
このパスは、ネットワークＢとネットワークＣの間の区間では、ノードＣ１で分岐されてノードＣ４，Ｂ３を介してノードＢ２に達する経路と、ノードＣ４で分岐されてノードＣ５，Ｂ５，Ｂ３を介してノードＢ２に達する経路とが予備として予め設定される。
【００１４】
またこのパスは、ネットワークＡとネットワークＢの間の区間では、ノードＢ１で分岐されてノードＢ４，Ａ３を介してノードＡ２に達する経路と、ノードＢ４で分岐されてノードＢ６，Ａ５，Ａ３を介してノードＡ２に達する経路とが予備として予め設定される。
【００１５】
以上のように設定されたパスを、インターコネクションされたデュアルホーミングパスと称する。このとき、ノードＡ４をヘッドノード、ノードＣ２をテールノード、ノードＡ１をパススルーノード、ノードＢ４，Ｃ４をInterconnectionヘッドノード、ノードＡ２，Ｂ２をInterconnection-Dropノード、ノードＢ１，Ｃ１をInterconnection-Addノード、ノードＡ３，Ｂ３をInterconnectionテールノードと称する。
【００１６】
一般に、Interconnectionの対象となる各々の二重化リングネットワークにおいては、上記各ノード種別を以下のように定める。
【００１７】
［Interconnectionヘッドノード］：往路側トラフィックを挿入すると共に復路側トラフィックを終端するノード
［Interconnection-Addノード］：往路側トラフィックをパススルーもしくは自ノードより挿入し復路側トラフィックをパススルーすると共に自ノードで分岐終端するノード
［パススルーノード］：往路側トラフィックをパススルーすると共に復路側トラフィックをパススルーするノード
［Interconnection-Dropノード］：往路側トラフィックをパススルーすると共に自ノードで分岐終端し復路側トラフィックをパススルーもしくは自ノードより挿入するノード
［Interconnectionテールノード］：往路側トラフィックを終端すると共に復路側トラフィックを挿入するノード
なお図１では、実線のパスが往路側、点線のパスが復路側に相当する。
【００１８】
次に、上記構成における本実施形態での動作を説明する。
図２は、図１におけるネットワークＢのパス設定状態をモデル化して示す図であり、各ノードの符号は図１に対応する。図中矢印は伝送路に張られたパスを示し、時分割多重された一つのタイムスロットに対応する。
【００１９】
図２においては現用系伝送路（符号付さず）にのみサービストラフィックが設定されており、図示のようなパス設定ではノードＢ６がInterconnectionヘッドノード、ノードＢ４，Ｂ１がInterconnection-Addノード、ノードＢ２，Ｂ３がInterconnection-Dropノード、ノードＢ５がInterconnectionテールノードとなる。すなわち、１つのヘッドノード、２つのInterconnection-Addノード、２つのInterconnection-Dropノード、１つのテールノードによりトラフィックが伝送される。
【００２０】
ここで、各ノードＢ１〜Ｂ６はトラフィック選択器１０および２０（図３に表示）を備える。トラフィック選択器１０は二つの現用系伝送路を流れるトラフィックが与えられ、いずれかの現用系伝送路ＳＬを流れるトラフィックを選択するものである。トラフィック選択器２０は現用系伝送路ＳＬを流れるトラフィックと予備系伝送路ＰＬを流れるトラフィックが与えられ、いずれかのトラフィックを選択するものである。
【００２１】
次に、本実施形態における作用を幾つかのケースに分けて説明する。
（ケース１）
図２の状態（システムに障害の無い状態）からノードＢ６，Ｂ４間の現用系／予備系伝送路に障害が発生すると、本実施形態ではリング切替を実施して図３の如くパスを再設定する。すなわち本実施形態では、トラフィックを伝送するヘッドノードと、Interconnection-Addノードの間の区間で現用系および予備系伝送路に障害が発生した場合、ＩＴＵ−Ｔ勧告Ｇ．８４１に規定されるTransoceanic方式のリング切替を実施する。このときの各ノードにおける処理は以下に示す如くである。
【００２２】
（１）Interconnectionヘッドノードが、当該障害区間方向の現用系伝送路へ挿入していた往路側トラフィックについては障害区間と反対方向の予備系伝送路へも迂回挿入し、当該障害区間方向の現用系伝送路から終端していた復路側トラフィックについては障害区間と反対方向の予備系伝送路から迂回終端する。
【００２３】
（２）Interconnection-Addノードが、トラフィックの伝送状態を変更しない。
【００２４】
（３）パススルーノードが、予備系伝送路を用いパススルーノードとして当該トラフィックの迂回伝送を行う。
【００２５】
（４）Interconnection-Dropノードが、当該障害区間方向の現用系伝送路へ挿入選択していた復路側トラフィックについては障害区間と反対方向の予備系伝送路へも迂回挿入し、他のInterconnection-Dropノードがある場合は、そのノードから挿入された復路側トラフィックとの比較後有効なトラフィックを選択する。当該障害区間方向の現用系伝送路から終端していた往路側トラフィックについては障害区間と反対方向の予備系伝送路からも迂回終端し、有効なトラフィックを選択する。
【００２６】
（５）Interconnectionテールノードが、当該障害区間方向の現用系伝送路へ挿入していた復路側トラフィックについては障害区間と反対方向の予備系伝送路へも迂回挿入し、Interconnection-Dropノードから挿入された復路側トラフィックとの比較後有効なトラフィックを選択する。当該障害区間方向の現用系伝送路から終端していた往路側トラフィックについては障害区間と反対方向の予備系伝送路からも迂回終端し、有効なトラフィックを選択する。
【００２７】
（ケース２）
図２の状態からノードＢ１，Ｂ２間の現用系／予備系伝送路に障害が発生すると、本実施形態ではリング切替を実施して図３の如くパスを再設定する。すなわち本実施形態では、トラフィックを伝送するInterconnection-AddノードとInterconnection-Dropノードの間の区間で現用系および予備系伝送路に障害が発生した場合、ＩＴＵ−Ｔ勧告Ｇ．８４１に規定されるTransoceanic方式のリング切替を実施する。このときの各ノードにおける処理は以下に示す如くである。
【００２８】
（６）Interconnectionヘッドノードが、当該障害区間方向の現用系伝送路へ挿入していた往路側トラフィックについては障害区間と反対方向の予備系伝送路へも迂回挿入し、Interconnection-Addノードから挿入された往路側トラフィックとの比較後有効なトラフィックを選択する。当該障害区間方向の現用系伝送路から終端していた復路側トラフィックについては障害区間と反対方向の予備系伝送路から迂回終端する。
【００２９】
（７）Interconnection-Addノードが、当該障害区間方向の現用系伝送路へ挿入選択していた往路側トラフィックについては障害区間と反対方向の予備系伝送路へも迂回挿入し、他のInterconnection-Addノードがある場合は、そのノードから挿入された往路側トラフィックとの比較後有効なトラフィックを選択する。当該障害区間方向の現用系伝送路から終端していた復路側トラフィックについては障害区間と反対方向の予備系伝送路から迂回終端する。
【００３０】
（８）パススルーノードが、予備系伝送路を用いパススルーノードとして当該トラフィックの迂回伝送を行う。
【００３１】
（９）Interconnection-Dropノードが、当該障害区間方向の現用系伝送路へ挿入選択していた復路側トラフィックについては障害区間と反対方向の予備系伝送路へも迂回挿入し、他のInterconnection-Dropノードがある場合は、そのノードから挿入された復路側トラフィックとの比較後有効なトラフィックを選択する。当該障害区間方向の現用系伝送路から終端していた往路側トラフィックについては障害区間と反対方向の予備系伝送路から迂回終端する。
【００３２】
（１０）Interconnectionテールノードが、当該障害区間方向の現用系伝送路へ挿入していた復路側トラフィックについては障害区間と反対方向の予備系伝送路へも迂回挿入し、Interconnection-Dropノードから挿入された復路側トラフィックとの比較後有効なトラフィックを選択する。当該障害区間方向の現用系伝送路から終端していた往路側トラフィックについては障害区間と反対方向の予備系伝送路から迂回終端する。
【００３３】
（ケース３）
図２の状態からノードＢ３，Ｂ５間の現用系／予備系伝送路に障害が発生すると、本実施形態ではリング切替を実施して図５の如くパスを再設定する。すなわち本実施形態では、トラフィックを伝送するInterconnection-DropノードとInterconnectionテールノードの間の区間で現用系および予備系伝送路に障害が発生した場合、ＩＴＵ−Ｔ勧告Ｇ．８４１に規定されるTransoceanic方式のリング切替を実施する。このときの各ノードにおける処理は以下に示す如くである。
【００３４】
（１１）Interconnectionヘッドノードが、当該障害区間方向の現用系伝送路へ挿入していた往路側トラフィックについては障害区間と反対方向の予備系伝送路へも迂回挿入し、Interconnection-Addノードから挿入された往路側トラフィックとの比較後有効なトラフィックを選択する。当該障害区間方向の現用系伝送路から終端していた復路側トラフィックについては障害区間と反対方向の予備系伝送路からも迂回終端し、有効なトラフィックを選択する。
【００３５】
（１２）Interconnection-Addノードが、当該障害区間方向の現用系伝送路へ挿入選択していた往路側トラフィックについては障害区間と反対方向の予備系伝送路へも迂回挿入し、他のInterconnection-Addノードがある場合は、そのノードから挿入された往路側トラフィックとの比較後有効なトラフィックを選択する。当該障害区間方向の現用系伝送路から終端していた復路側トラフィックについては障害区間と反対方向の予備系伝送路からも迂回終端し、有効なトラフィックを選択する。
【００３６】
（１３）パススルーノードが、予備系伝送路を用いパススルーノードとして当該トラフィックの迂回伝送を行う。Interconnection-Dropノードが、トラフィックの伝送状態を変更しない。
【００３７】
（１４）Interconnectionテールノードが、当該障害区間方向の現用系伝送路へ挿入していた復路側トラフィックについては障害区間と反対方向の予備系伝送路へも迂回挿入し、当該障害区間方向の現用系伝送路から終端していた往路側トラフィックについては障害区間と反対方向の予備系伝送路から迂回終端する。
【００３８】
（ケース４）
図２の状態からノードＢ６，Ｂ５間の現用系／予備系伝送路に障害が発生すると、本実施形態では切替処理を実施しない。すなわち本実施形態ではInterconnectionヘッドノードとInterconnectionテールノード間の時計回りおよび反時計回りの複数区間で現用系および予備系伝送路に障害が発生した場合、当該サービストラフィックの迂回伝送を行わない。このときのサービストラフィックに対する動作結果を図６に示す。
【００３９】
（ケース５）
図２の状態からノードＢ４，Ｂ１間の現用系／予備系伝送路に障害が発生すると、本実施形態ではリング切替を実施して図７の如くパスを再設定する。すなわち本実施形態では、複数のInterconnection-Addノード間の区間で現用系および予備系伝送路に障害が発生した場合、ＩＴＵ−Ｔ勧告Ｇ．８４１に規定されるTransoceanic方式のリング切替を実施する。このときの各ノードにおける処理は以下に示す如くである。
【００４０】
（１５）Interconnectionヘッドノードが、当該障害区間方向の現用系伝送路へ挿入していた往路側トラフィックについては障害区間と反対方向の予備系伝送路へも迂回挿入し、Interconnection-Addノードから挿入された往路側トラフィックとの比較後有効なトラフィックを選択する。当該障害区間方向の現用系伝送路から終端していた復路側トラフィックについては障害区間と反対方向の予備系伝送路から迂回終端する。
【００４１】
（１６）Interconnectionヘッドノードと上記障害区間に挟まれたInterconnection-Addノードが、当該障害区間方向の現用系伝送路へ挿入選択していた往路側トラフィックについては障害区間と反対方向の予備系伝送路へも迂回挿入し、Interconnectionヘッドノードと上記障害区間に挟まれた他のInterconnection-Addノードがある場合は、そのノードから挿入された往路側トラフィックとの比較後有効なトラフィックを選択する。当該障害区間方向の現用系伝送路から終端していた復路側トラフィックについては障害区間と反対方向の予備系伝送路から迂回終端する。
【００４２】
（１７）上記以外のInterconnection-Addノードが、トラフィックの伝送状態を変更しない。
【００４３】
（１８）パススルーノードが、予備系伝送路を用いパススルーノードとして当該トラフィックの迂回伝送を行う。
【００４４】
（１９）Interconnection-Dropノードが、当該障害区間方向の現用系伝送路へ挿入選択していた復路側トラフィックについては障害区間と反対方向の予備系伝送路へも迂回挿入し、他のInterconnection-Dropノードがある場合は、そのノードから挿入された復路側トラフィックとの比較後有効なトラフィックを選択する。当該障害区間方向の現用系伝送路から終端していた往路側トラフィックについては障害区間と反対方向の予備系伝送路からも迂回終端し、有効なトラフィックを選択する。
【００４５】
（２０）Interconnectionテールノードが、当該障害区間方向の現用系伝送路へ挿入していた復路側トラフィックについては障害区間と反対方向の予備系伝送路へも迂回挿入し、Interconnection-Dropノードから挿入された復路側トラフィックとの比較後有効なトラフィックを選択する。当該障害区間方向の現用系伝送路から終端していた往路側トラフィックについては障害区間と反対方向の予備系伝送路からも迂回終端し、有効なトラフィックを選択する。
【００４６】
（ケース６）
（６）図２の状態からノードＢ２，Ｂ３間の現用系／予備系伝送路に障害が発生すると、本実施形態ではリング切替を実施して図８の如くパスを再設定する。すなわち本実施形態では、複数のInterconnection-Dropノード間の区間で現用系および予備系伝送路に障害が発生した場合、ＩＴＵ−Ｔ勧告Ｇ．８４１に規定されるTransoceanic方式のリング切替を実施する。このときの各ノードにおける処理は以下に示す如くである。
【００４７】
（２１）Interconnectionヘッドノードが、当該障害区間方向の現用系伝送路へ挿入していた往路側トラフィックについては障害区間と反対方向の予備系伝送路へも迂回挿入し、Interconnection-Addノードから挿入された往路側トラフィックとの比較後有効なトラフィックを選択する。当該障害区間方向の現用系伝送路から終端していた復路側トラフィックについては障害区間と反対方向の予備系伝送路からも迂回終端し、有効なトラフィックを選択する。
【００４８】
（２２）Interconnection-Addノードが、当該障害区間方向の現用系伝送路へ挿入選択していた往路側トラフィックについては障害区間と反対方向の予備系伝送路へも迂回挿入し、他のInterconnection-Addノードがある場合は、そのノードから挿入された往路側トラフィックとの比較後有効なトラフィックを選択する。当該障害区間方向の現用系伝送路から終端していた復路側トラフィックについては障害区間と反対方向の予備系伝送路からも迂回終端し、有効なトラフィックを選択する。
【００４９】
（２３）パススルーノードが、予備系伝送路を用いパススルーノードとして当該トラフィックの迂回伝送を行う。
【００５０】
（２４）Interconnectionテールノードと上記障害区間に挟まれたInterconnection-Dropノードが、当該障害区聞方向の現用系伝送路へ挿入選択していた復路側トラフィックについては障害区間と反対方向の予備系伝送路へも迂回挿入し、Interconnectionテールノードと上記障害区間に挟まれた他のInterconnection-Dropノードがある場合は、そのノードから挿入された往路側トラフィックとの比較後有効なトラフィックを選択する。当該障害区間方向の現用系伝送路から終端していた往路側トラフィックについては障害区間と反対方向の予備系伝送路から迂回終端する。
【００５１】
（２５）上記以外のInterconnection-Dropノードが、トラフィックの伝送状態を変更しない。
【００５２】
（２６）Interconnectionテールノードが、当該障害区聞方向の現用系伝送路へ挿入していた復路側トラフィックについては障害区間と反対方向の予備系伝送路へも迂回挿入し、Interconnection-Dropノードから挿入された復路側トラフィックとの比較後有効なトラフィックを選択する。当該障害区間方向の現用系伝送路から終端していた往路側トラフィックについては障害区間と反対方向の予備系伝送路から迂回終端する。
【００５３】
なお、上記（ケース１）〜（ケース６）で述べた、各ノードによる「有効なトラフィックの選択」は、例えば次のような判断により実施できる。
すなわちトラフィック選択器１０，２０において入力される２つのトラフィックの内容を確認した結果、トラフィックの内容が実信号であるならば有効とし、これに対してＡＩＳ(Alarm Indication Signal)などの擬似転送信号であるならば無効とする。
【００５４】
またこれとは別に、現用系伝送路内でのトラフィック選択器１０において、入力される２つのトラフィックの内容を確認した結果、トラフィックの内容が実信号であるならば有効とし、これに対してＡＩＳ(Alarm Indication Signal)などの擬似転送信号であるならば無効とする。
【００５５】
さらに、トラフィック選択器１０，２０において、リングネットワーク上の自他ノードで稼動しているトラフィック選択器１０(現用系伝送路内での選択)のトラフィック選択状況(情報通知)を基に、当該トラフィック選択器１０の選択制御を対応させる。
【００５６】
以上のように本実施形態では、各ノードＢ１〜Ｂ６に、二つの現用系伝送路を流れるトラフィックが与えられ、いずれかの現用系伝送路を流れるトラフィックを選択するトラフィック選択器１０と、現用系伝送路を流れるトラフィックと予備系伝送路を流れるトラフィックが与えられ、いずれかのトラフィックを選択するトラフィック選択器２０を備え、障害の発生形態に応じて各トラフィック選択器１０，２０の選択状態を変えて新たな伝送パスを設定するようにした。
【００５７】
このようにしたので、Transoceanic方式による障害回避を実施しても誤接続を生じる虞の無いリング接続ネットワークシステムを提供することが可能となる。
【００５８】
【発明の効果】
以上詳述したように本発明によれば、Transoceanic方式による障害回避を実施しても誤接続を生じる虞の無いリング接続ネットワークシステムを提供することが可能となる。
【図面の簡単な説明】
【図１】  本発明の実施の形態に係わるリング接続ネットワークシステムの構成を示すシステム図。
【図２】  図１におけるネットワークＢのパス設定状態をモデル化して示す図。
【図３】  本発明の実施形態でのケース１におけるパスの設定例を示す図。
【図４】  本発明の実施形態でのケース２におけるパスの設定例を示す図。
【図５】  本発明の実施形態でのケース３におけるパスの設定例を示す図。
【図６】  本発明の実施形態でのケース４におけるパスの設定例を示す図。
【図７】  本発明の実施形態でのケース５におけるパスの設定例を示す図。
【図８】  本発明の実施形態でのケース６におけるパスの設定例を示す図。
【符号の説明】
Ａ１〜Ａ６，Ｂ１〜Ｂ６，Ｃ１〜Ｃ５…ノード
ＣＬ…接続伝送路
ＳＬ…現用系伝送路
ＰＬ…予備系伝送路
１０，２０…トラフィック選択器
【図１】
0003930247.tif 000002
【図２】
0003930247.tif 000003
【図３】
0003930247.tif 000004
【図４】
0003930247.tif 000005
【図５】
0003930247.tif 000006
【図６】
0003930247.tif 000007
【図７】
0003930247.tif 000008
【図８】
0003930247.tif 000009